【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
結晶性樹脂及びフィラ粒子を少なくとも含む材料粉末を用いて、立体形状物を造形可能な粉末積層造形装置による粉末積層造形方法であって、
前記フィラ粒子は、長手方向を有する形状となっており、
前記立体形状物の各断面層について：
第１粉末敷設部により、前記粉末積層造形装置の造形部の前記材料粉末による材料粉末層を敷設するための造形スペースに対して、前記材料粉末層の上面となる面を含む平面上において、第１方向に沿って前記材料粉末を移動させることにより、前記フィラ粒子の前記長手方向が前記第１方向を向く割合が高くなるように前記造形スペースに前記材料粉末層を敷設する第１敷設ステップと、第２粉末敷設部により、前記造形スペースに対して、前記平面上おいて、前記第１方向と平行ではない第２方向に沿って前記材料粉末を移動させることにより、前記フィラ粒子の前記長手方向が前記第２方向を向く割合が高くなるように前記造形スペースに前記材料粉末層を敷設する第２敷設ステップと、の少なくともいずれか一方のステップを少なくとも１回実行する材料粉末層敷設ステップと、
前記材料粉末層敷設ステップで敷設された前記材料粉末層の前記立体形状物の前記断面層を構成する部位に対して、前記材料粉末を溶融又は焼結させるためのエネルギーを供給するエネルギー供給ステップと、
を実行し、
前記材料粉末層敷設ステップでは、所定の条件に従って、前記第１敷設ステップと前記第２敷設ステップとの中の実行するステップを決定する
粉末積層造形方法。
【請求項２】
前記エネルギー供給ステップでは、前記第１粉末敷設部及び前記第２粉末敷設部が前記材料粉末を溶融又は焼結させるためのエネルギーを供給するエネルギー供給部によるエネルギーの供給範囲から外れている場合に、前記材料粉末層に前記エネルギーを供給する
請求項１に記載の粉末積層造形方法。
【請求項３】
前記材料粉末層敷設ステップでは、
（１）前記立体形状物を所定の平面と平行な平面で切断した複数の断面層のそれぞれの形状を示す断面形状情報を取得し、
（２）複数の断面層の少なくとも１つの断面層について、前記断面層の造形時に前記材料粉末層を敷設させるために使用する前記第１粉末敷設部又は前記第２粉末敷設部を特定可能な敷設指定情報を取得し、
（３）前記敷設指定情報に、使用する前記第１粉末敷設部又は前記第２粉末敷設部が対応付けられている断面層を造形する際に、前記敷設指定情報により特定される前記第１粉末敷設部又は前記第２粉末敷設部を制御して、前記材料粉末層を敷設させる
請求項１又は請求項２に記載の粉末積層造形方法。
【請求項４】
前記敷設指定情報は、複数の断面層の中の前記第１粉末敷設部により前記材料粉末層を敷設させる１以上の断面層を特定する情報を含む
請求項３に記載の粉末積層造形方法。
【請求項５】
前記敷設指定情報は、複数の断面層の中の前記第２粉末敷設部により前記材料粉末層を敷設させる１以上の断面層を特定する情報を含む
請求項３又は請求項４に記載の粉末積層造形方法。
【請求項６】
前記敷設指定情報は、複数の断面層を造形する際に、前記材料粉末層を敷設させるために使用する前記第１粉末敷設部及び前記第２粉末敷設部の順番を規定する敷設パターン情報を含み、
前記材料粉末層敷設ステップでは、断面層に対して使用する前記第１粉末敷設部又は前記第２粉末敷設部が対応付けられている場合には、対応付けられている前記第１粉末敷設部又は前記第２粉末敷設部により前記材料粉末層を敷設させ、前記第１粉末敷設部又は前記第２粉末敷設部が対応付けられていない場合には、前記敷設パターン情報に基づいて前記第１粉末敷設部又は前記第２粉末敷設部により前記材料粉末層を敷設させる
請求項１から請求項５のいずれか一項に記載の粉末積層造形方法。
【請求項７】
前記材料粉末層敷設ステップでは、
（Ａ）前記立体形状物の前記断面層の少なくとも１つについて、前記断面層のアスペクト比を算出し、
（Ｂ）算出された前記アスペクト比に基づいて、前記断面層を造形する際に敷設する前記材料粉末層を前記第１粉末敷設部又は前記第２粉末敷設部のいずれで行うかを決定し、
（Ｃ）前記断面層を造形する際に、決定した前記第１粉末敷設部又は前記第２粉末敷設部により前記材料粉末層を敷設させる
請求項１に記載の粉末積層造形方法。
【請求項８】
結晶性樹脂及びフィラ粒子を少なくとも含む材料粉末を用いて、立体形状物を造形可能な粉末積層造形装置であって、
前記フィラ粒子は、長手方向を有する形状となっており、
前記粉末積層造形装置は、
前記立体形状物を造形するための前記材料粉末による材料粉末層を敷設するための造形スペースを画成する造形部と、
前記材料粉末を蓄積し、上部に前記材料粉末を移動可能な第１粉末供給部と、
前記造形スペースに対して、前記材料粉末層の上面となる面を含む平面上において、第１方向に沿って前記第１粉末供給部の上部に移動された前記材料粉末を移動させることにより、前記造形スペースに前記材料粉末層を敷設可能な第１粉末敷設部と、
前記材料粉末を蓄積し、上部に前記材料粉末を移動させる第２粉末供給部と、
前記造形スペースに対して、前記平面上おいて、前記第１方向と平行ではない第２方向に沿って前記材料粉末を移動させることにより、前記造形スペースに前記材料粉末層を敷設可能な第２粉末敷設部と、
前記造形スペースに敷設された前記材料粉末層の前記立体形状物の造形対象の断面層を構成する部位に対して、前記材料粉末を溶融又は焼結させるためのエネルギーを供給するエネルギー供給部と、
を有する粉末積層造形装置。
【請求項９】
前記エネルギー供給部は、前記第１粉末敷設部及び前記第２粉末敷設部が前記エネルギー供給部によるエネルギーの供給範囲から外れている場合に、前記材料粉末層に前記エネルギーを供給する
請求項８に記載の粉末積層造形装置。
【請求項１０】
コントローラをさらに有し、
前記コントローラは、
（１）前記立体形状物を所定の平面と平行な平面で切断した複数の断面層のそれぞれの形状を示す断面形状情報を取得し、
（２）複数の断面層の少なくとも１つの断面層について、前記断面層の造形時に前記材料粉末層を敷設させるために使用する前記第１粉末敷設部又は前記第２粉末敷設部を特定可能な敷設指定情報を取得し、
（３）前記敷設指定情報に、使用する前記第１粉末敷設部又は前記第２粉末敷設部が対応付けられている断面層を造形する際に、前記敷設指定情報により特定される前記第１粉末敷設部又は前記第２粉末敷設部を制御して、前記材料粉末層を敷設させる
請求項８又は請求項９に記載の粉末積層造形装置。
【請求項１１】
前記敷設指定情報は、複数の断面層の中の前記第１粉末敷設部により前記材料粉末層を敷設させる１以上の断面層を特定する情報を含む
請求項１０に記載の粉末積層造形装置。
【請求項１２】
前記敷設指定情報は、複数の断面層の中の前記第２粉末敷設部により前記材料粉末層を敷設させる１以上の断面層を特定する情報を含む
請求項１０又は請求項１１に記載の粉末積層造形装置。
【請求項１３】
前記敷設指定情報は、複数の断面層を造形する際に、前記材料粉末層を敷設させるために使用する前記第１粉末敷設部及び前記第２粉末敷設部の順番を規定する敷設パターン情報を含み、
前記コントローラは、断面層に対して使用する前記第１粉末敷設部又は前記第２粉末敷設部が対応付けられている場合には、対応付けられている前記第１粉末敷設部又は前記第２粉末敷設部により前記材料粉末層を敷設させ、前記第１粉末敷設部又は前記第２粉末敷設部が対応付けられていない場合には、前記敷設パターン情報に基づいて前記第１粉末敷設部又は前記第２粉末敷設部により前記材料粉末層を敷設させる
請求項１０から請求項１２のいずれか一項に記載の粉末積層造形装置。
【請求項１４】
前記コントローラは、
前記フィラ粒子を含まない別種の材料粉末を使用して造形するとのフィラ不使用指定を受け付け、
前記フィラ不使用指定を受け付けた場合には、前記第１粉末敷設部又は前記第２粉末敷設部のいずれか一方のみによって、前記材料粉末層を敷設させる
請求項８から請求項１３のいずれか一項に記載の粉末積層造形装置。
【請求項１５】
前記粉末積層造形装置は、コントローラをさらに有し、
前記コントローラは、
（Ａ）前記立体形状物の前記断面層の少なくとも１つについて、前記断面層のアスペクト比を算出し、
（Ｂ）算出された前記アスペクト比に基づいて、前記断面層を造形する際に敷設する前記材料粉末層を前記第１粉末敷設部又は前記第２粉末敷設部のいずれで行うかを決定し、
（Ｃ）前記断面層を造形する際に、決定した前記第１粉末敷設部又は前記第２粉末敷設部により前記材料粉末層を敷設させる
請求項８に記載の粉末積層造形装置。